(57)【特許請求の範囲】
【請求項１】
下端部に脚を有する第１の構造体と、下端部に脚を有し前記第１の構造体と対称形状をなす第２の構造体とを備えた家具を製造する方法であって、共通の型を使用して上端部と下端部とにそれぞれ脚を有する中間構造体を少なくとも２体成形し、一方の中間構造体の上端部に存在する脚の一部又は全部を切除して第１の構造体を得るとともに、他方の中間構造体の下端部に存在する脚の一部又は全部を切除して上下反転させることによって第２の構造体を得、これら第１、第２の構造体を組み合わせて家具を作ることを特徴とする家具の製造方法。
【請求項２】
第１、第２の構造体が、略上下対称形状をなしていることを特徴とする請求項１記載の家具の製造方法。
【請求項３】
第１、第２の構造体が、一部に打ち抜き状の形態を有していることを特徴とする請求項１又は２記載の家具の製造方法。
【請求項４】
打ち抜き状の形態が、型締め方向に貫通する貫通孔であることを特徴とする請求項３記載の家具の製造方法。
【請求項５】
第１、第２の構造体が、天板を支持するものであり、前記一方の中間構造体の上端部に存在する脚の基端部を残した状態で先端部側を切除して第１の構造体を得るとともに、他方の中間構造体の下端部に存在する脚の基端部を残した状態で先端部側を切除して上下反転させることによって第２の構造体を得、前記基端部側を前記天板を取り付ける際の天板支持部として利用することを特徴とする請求項１、２、３又は４記載の家具の製造方法。
【請求項６】
第１、第２の構造体が、家具の側板部と背板部とを一体に成形してなる平面視略Ｌ字形をなす側背構造体であることを特徴とする請求項１、２、３、４又は５記載の家具の製造方法。
【請求項７】
第１、第２の構造体の背板部同士を突き合わせて家具の側面及び背面を囲う周壁を構成してなることを特徴とする請求項６記載の家具の製造方法。
【請求項８】
第１、第２の構造体が、アルミダイキャストにより成形してあることを特徴とする請求項１、２、３、４、５、６又は７記載の家具の製造方法。
【発明の詳細な説明】
【０００１】
【発明の属する技術分野】
本発明は、左右対称形状をなす脚付きの家具を製造する場合に好適に利用される家具の製造方法に関するものである。
【０００２】
【従来の技術】
例えば、左右対称形状をなす脚付きの家具としては、オフィス等で利用される収納庫等の収納家具がある。
【０００３】
従来、この種の収納家具を製造する場合には、例えば、樹脂成形やアルミダイキャスト製法により下端部に一体に脚を備えた左右の側板を形成し、この左右の側板に天板、底板を取り付ける等して家具本体を構成していた。
【０００４】
【発明が解決しようとする課題】
しかしながら、前述したような一体に脚を備えた左右の側板において、特に前後方向に非対称な形状を持つもの等を製造する場合には、それぞれ別個の型を用いて左右の側板を製造するしかなく、型数や製造工程の増加を招くという不具合があった。
【０００５】
また、側板と脚とを別体に製造して、両者をネジ等の取付具を利用して取り付けているものもあるが、側板と脚とが別体であるので、強度的な問題が生じる恐れが否めない。
【０００６】
そこで、本発明は、左右対称形状をなす脚付きの家具を製造する場合に、型数や製造工程を減少し、低コストで家具を製造し得る製造方法を提供しようとするものである。
【０００７】
【課題を解決するための手段】
すなわち、本発明は、下端部に脚を有する第１の構造体と、下端部に脚を有し前記第１の構造体と対称形状をなす第２の構造体とを備えた家具を製造する方法であって、共通の型を使用して上端部と下端部とにそれぞれ脚を有する中間構造体を少なくとも２体成形し、一方の中間構造体の上端部に存在する脚の一部又は全部を切除して第１の構造体を得るとともに、他方の中間構造体の下端部に存在する脚の一部又は全部を切除して上下反転させることによって第２の構造体を得、これら第１、第２の構造体を組み合わせて家具を作ることを特徴とする家具の製造方法に関するものである。
【０００８】
このような構成のものであると、特に、家具が左右対称な形状を有している場合には、共通の型で家具を構成する中間構造体を少なくとも２体構成し、各構造体の脚の一部又は全部を切除すれば、左右の構造体を得ることができるので、左右の構造体を別個に製造していた従来に比べて型数や製造工程を減少させることが可能となる。特に型数を減らすことができるので、製造の便だけでなく、コストダウンを図ることが容易となる。
【０００９】
好適な実施の態様としては、第１、第２の構造体が、略上下対称形状をなしているものを挙げることができる。
【００１０】
型締め力の小さい設備でも第１、第２の構造体を成形し得るようにして、低コスト化を図るには、第１、第２の構造体が、一部に打ち抜き状の形態を有していることが望ましい。
【００１１】
この場合の好適な実施の形態としては、打ち抜き状の形態が、型締め方向に貫通する貫通孔であるものが挙げられる。
【００１２】
第１、第２の構造体が、天板を支持するものである場合には、前記一方の中間構造体の上端部に存在する脚の基端部を残した状態で先端部側を切除して第１の構造体を得るとともに、他方の中間構造体の下端部に存在する脚の基端部を残した状態で先端部側を切除して上下反転させることによって第２の構造体を得、前記基端部側を前記天板を取り付ける際の天板支持部として利用することが望ましい。
【００１３】
また、第１、第２の構造体の好適な実施の態様としては、第１、第２の構造体が、家具の側板部と背板部とを一体に成形してなる平面視略Ｌ字形をなす側背構造体であるものが挙げられる。
【００１４】
また、この場合には、第１、第２の構造体の背板部同士を突き合わせて家具の側面及び背面を囲う周壁を構成してなることが望ましい。
【００１５】
軽量で高強度である上、薄い壁厚で本物感のある仕上がりの家具を提供するには、第１、第２の構造体が、アルミダイキャストにより成形してあることが望ましい。
【００１６】
また、他の実施の態様としては、下端部に脚を有する第１の構造体と、下端部に脚を有し前記第１の構造体と対称形状をなす第２の構造体とを備えた家具を製造する方法であって、共通の型を使用して上端部と下端部とにそれぞれ脚を有する中間構造体を少なくとも２体成形し、一方の中間構造体により第１の構造体を得るとともに、他方の中間構造体を上下反転させることによって第２の構造体を得、これら第１、第２の構造体を組み合わせて家具を作ることを特徴とする家具の製造方法を挙げることができる。
【００１７】
【発明の実施の形態】
以下、本発明の一実施の形態について図面を参照して説明する。
【００１８】
図１及び図２に示す家具たる収納家具Ａは、本実施の形態の製造方法により製造したものである。
【００１９】
この収納家具Ａは、オフィス等で使用されるもので、図１に示すように、内部に収納空間Ｓを有する収納家具本体１と、前記収納家具本体１の前面開口部１ａに両開き可能に設けた左右一対の扉２とを具備している。そして、本実施の形態では、図１及び図２に示すように、平面視略Ｌ字形をなす左右の側背構造体３を突き合わせて平面視略コ字形に接合することにより前記収納家具本体１の側面及び背面を囲う周壁１ｂを形成し、その上端部側に天板４を、下端部側に底板５を取り付けるとともに、前記収納空間Ｓ内に選択的に棚板６を取り付けて前記収納家具本体１を構成している。なお、本実施の形態において、前記収納家具本体１は、アルミダイキャストにより形成してなり、アルミの鋳肌を表出しているものであるが、必要に応じてパーティングラインのバリを削る加工を施したり、アルミの質感を失わない程度にアルミ色のメタリック塗装等の薄い塗装加工を施す場合もある。
【００２０】
以下、各部の具体的な構成について説明する。
【００２１】
扉２は、図１、図３及び図６に示すように、その外縁部２ａを前記前面開口部１ａの開口側縁部に蝶番部材ｈを介して開閉可能に取り付けてあり、前面の上端部側に把手２１を有している。また、この扉２は、ガラス等の透光性を有する素材により形成してあり、特に本実施の形態では、地中海ブルー等の海や空を連想させるような青色系のガラス板により構成している。なお、図面中では、この扉２は、透光性を有しない内部が視認できないものとして図示している。さらに、図２は、蝶番部材ｈ及び扉２を取り付ける前の図とし、これら蝶番部材ｈ及び扉２を省略している。
【００２２】
側背構造体３は、図２に示すように、互いに略直交する側板部７と背板部８とを一体にアルミダイキャストにより成形してなるものである。本実施の形態では、左右対称形状をなしている左右一対の側背構造体３を備えており、これら両側背構造体３の背板部８同士を突き合わせて前記収納家具本体１の周壁１ｂを構成している。
【００２３】
側板部７は、図２、図４、図６及び図７に示すように、鉛直方向に略沿って位置する起立壁７１と、この起立壁７１の上下縁部からそれぞれ略９０度屈曲させて水平方向に略沿って延出している上壁７２及び底壁７３と、前記起立壁７１の前縁部から略９０度屈曲させて延出した前壁７８とから構成されている。前記起立壁７１には、打ち抜き状の形態である貫通孔たる開口７４が複数前後方向に並列的に設けてある。この開口７４は、側面視略矩形状のものであり、アルミダイキャスト時の型締め力を小さなものとするべく型締め方向に貫通している。また、前記起立壁７１には、その内面側において上下方向に沿った複数箇所に前記棚板６を保持するための突起部７５が一体に突出してある。前記突起部７５は、前記起立壁７１の内面側において前後端部から突出した正面視略凸形状をなすものである。また、前記底壁７３には、一体に下方に突出した前後一対の脚７６が設けてあり、使用時、これら脚７６には、高さ調整用のアジャスタａが取り付けられる。
【００２４】
背板部８は、図２、図４及び図５に示すように、鉛直方向に略沿って起立するもので、その後面側において上下方向に並列的に設けた複数のリブ８１を有しており、これらリブ８１は、左右の側背構造体３を付き合わせた場合に背面視略菱形状をなす。さらに、この背板部８は、その後面側において、上下方向２箇所に左右の側背構造体３を突き合わせて接合する場合にネジ等の取付具ｔ１を保持するための筒状の取付具保持部８２を有している。具体的には、この取付具保持部８２は、水平方向に略沿った孔部８２ａを有するもので、前記左右の側背構造体３を突き合わせた場合に、それぞれの側背構造体３に設けた該取付具保持部８２同士が連続した筒状をなす。
【００２５】
天板４は、アルミダイキャストにより成形されたもので、図１及び図２に示すように、平面視略矩形状で前縁部側を略部分円弧状に切り欠いた形状をなしている。この天板４は、図６及び図７に示すように、前記側板部７の上壁７２から突出した前記天板支持部７７に対応する位置に、下方に開口する凹部４１を有している。しかして、前記側背構造体３の上面に取り付ける際には、前記凹部４１を前記天板支持部７７に上方から嵌め合わせ、前記側板部７の上壁７２に設けた挿通孔７２ａを介して下方から挿入したネジ等の取付具ｔ２を下面の対応位置に設けたネジ孔４２にネジ作用を利用して嵌め合わせて固定する。
【００２６】
底板５は、アルミダイキャストにより成形されたもので、図２に示すように、平面視略矩形状で、面板部５１に前後方向に並列的に設けた複数の平面視略矩形状の開口５２を有している。前記開口５２は、アルミダイキャスト時の型締め力を小さなものとするべく型締め方向に貫通しているものである。前記底板５は、前記側背構造体３の側板部7の起立壁７１に設けた挿通孔７１ａを介して外方から挿入したネジ等の取付具ｔ３を、その左右側面部５３の対応位置に設けたネジ孔５４にネジ作用を利用して嵌めることにより前記側背構造体３に取り付けられる。
【００２７】
棚板６は、図２に示すように、前記底板５と同様の構成を有するものであるため、同一の構成を有する部分には同一の符号を付して、具体的な構成説明を省略するものである。この棚板６は、前記背側構造体３の側板部７の内面側に設けた前記突起部７５上に載せ置かれて取り付けられる。
【００２８】
このような構成の収納家具Ａにおいて、本実施の形態では、前記側背構造体３を製造する際に、共通の型Ｃを使用して上端部９ａと下端部９ｂとにそれぞれ脚９１、９２を有する少なくとも２体の中間構造体９Ａ、９Ｂ（図８参照）を成形し、図９に示すように、一方の中間構造体９Ａの上端部９ａに存在する脚９１の基端部９１ａを残した状態で先端部９１ｂを切除して左右何れか一方の側背構造体３を得るとともに、他方の中間構造体９Bの下端部９ｂに存在する脚９２の基端部９２ａを残した状態で先端部９２ｂを切除して上下反転させることによって他方の側背構造体３を得るようにしている。そして、本実施の形態では、前記一方の中間構造体９Ａの下端部９ｂに存在する脚９２及び他方の中間構造体９Ｂの上端部９ａに存在する脚９１を、側背構造体３の脚７６として利用するとともに、前記一方の中間構造体９Ａの上端部９ａに存在する脚９１及び他方の中間構造体９Ｂの下端部９ｂに存在する脚９２の基端部９１ａ、９２ａ側を前記天板４を取り付ける際の天板支持部７７として利用している。
【００２９】
以下、前記側背構造体３の製造方法について具体的に説明する。
【００３０】
側背構造体３は、図１０の模式的な図に示すように、溶解アルミニウムを型Ｃ内に注湯し、最終製品に近い形状に製造する方法である周知のアルミダイキャスト製法により製造されている。
【００３１】
型Ｃは、前記側背構造体３の形状に対応した内空ｃ１を有するものである。そして、型Ｃのうち、前記内空ｃ１に臨む位置に設けたゲート（図示せず）から溶解アルミニウムを高速、高圧で該型Ｃ内に放出、充填し、図１０中矢印で示す方向へ型締め力を加え、凝固させる。なお、この時、本実施の形態では、側背構造体３が、側板部７に打ち抜き状の形態である型締め方向に貫通する開口７４を有しており、この開口７４の存在により、型締め力を小さなものとすることが可能となる。成形後、前記型締め方向と逆方向に型抜きを行い、図８に示すような少なくとも２体の中間構造体９Ａ、９Ｂを得る。しかる後、図９に示すように、一方の中間構造体９Ａの上端部９ａに存在する脚９１の基端部９１ａを残した状態で先端部９１ｂ側を切除して一方の側背構造体３を得るとともに、他方の中間構造体９Ｂの下端部９ｂに存在する脚９２の基端部９２ａを残した状態で先端部９２ｂ側を切除して上下反転させることによって他方の側背構造体３を得る。そして、前記一方の中間構造体９Ａの下端部９ｂに存在する脚９２及び他方の中間構造体９Ｂの上端部９ａに存在する脚９１を、側背構造体３の脚７６として利用するとともに、前記一方の中間構造体９Ａの上端部９ａに存在する脚９１及び他方の中間構造体９Ｂの下端部９ｂに存在する脚９２の基端部９１ａ、９２ａ側を前記天板４を取り付ける際の天板支持部７７として利用する。なお、前記天板４を取り付けるための挿入孔７２ａや前記底板５を取り付けるための挿入孔７１ａ等は、アルミダイキャスト後に、別途加工を施すなどして設けている。
【００３２】
次に、この収納家具Ａを組み立てる場合の組立手順について説明する。
【００３３】
先ず、図２及び図１１に示すように、左右の側背構造体３を側板部７の内面同士が対向するように左右に配置して、前記背板部８同士が突き合うように組み合わせ、平面視略コ字形状の周壁１ｂを構成する。しかる後、前記取付具保持部８２に取付具ｔ１を挿入し、挿入出口側に配置したナット部材ｎにネジ作用を利用して嵌め合わせ、左右の側背構造体３同士を連結する。次に、これら左右の側背構造体３に天板４を取り付ける際には、図６に示すように、前記側背構造体３に設けた天板支持部７７に前記天板４の凹部４１を上方から嵌め合わせる。しかる後、前記側板部７の上壁７２に設けた挿通孔７２ａを介して下方から挿入したネジ等の取付具ｔ２を天板４の対応位置に設けたネジ孔４２にネジ作用を利用して嵌め合わせることにより、前記天板４を側背構造体３に固定する。一方、底板５を取り付ける際には、該底板５を左右に傾けた状態で前記前面開口部１ａから収納空間Ｓ内に挿入し、前記側板部７の底壁７３上に載せ置く。そして、前記側板部７の起立壁７１に設けた挿通孔７１ａを介して外方から挿入したネジ等の取付具ｔ３を、前記底板５の左右側面部５３の対応位置に設けたネジ孔５４にネジ作用を利用して嵌めることにより前記側背構造体３に底板５を取り付ける。しかる後、適宜の手段で前記側背構造体３に設けた蝶番部材ｈを介して前記扉２を前面開口部１ａを閉止する位置に取り付ける。また、棚板６は、前記底板５と同様、左右に傾けた状態で前記前面開口部１ａから収納空間Ｓ内に挿入し、前記突起部７５に載せ置いて適宜の位置に配置する。なお、上述した組立手順は、一例に過ぎず、他の手順を踏むようにしてもよいのは、勿論である。
【００３４】
このような構成のものであると、本実施の形態のように、収納家具Ａが左右対称な形状を有している場合には、共通の型Ｃで収納家具Ａを構成する左右の側背構造体３を構成することができるので、型数や製造工程を減少させることができ、コストダウンを図ることが可能となる。特にダイキャストの場合には、金型が非常に高価であるため、型数を減らすことは非常に有効である。
【００３５】
左右の側背構造体３が、略上下対称形状をなしているので、共通の型で製造できることは非常に有効である。
【００３６】
両側背構造体３が、一部に打ち抜き状の形態を有しているので、型締め力の小さい設備でも前記側背構造体３の中間構造体９を成形し得るようにして、低コスト化を図り得る。
【００３７】
この場合に、打ち抜き状の形態が、型締め方向に貫通する開口７４であるので、簡単な構成で実現できる上、デザイン的な要素も付加することが可能である。
【００３８】
前記一方の中間構造体９の上端部９ａに存在する脚９１の基端部９１ａを残した状態で先端部９１ｂ側を切除して一方の側背構造体３を得るとともに、他方の中間構造体９の下端部９ｂに存在する脚９２の基端部９２ａを残した状態で先端部９２ｂ側を切除して上下反転させることによって他方の側背構造体３を得、前記基端部９１ａ、９２ａ側を前記天板４を取り付ける際の天板支持部７７として利用しているので、特に、本実施の形態のように、側背構造体３が天板４を支持するものである場合には、別途突起部等を設ける必要なく前記基端部９１ａ、９２ａを利用することにより、天板４の取付の便を図ることができる。
【００３９】
また、中間構造体９から形成される第１、第２の構造体が、収納家具Ａの側板部７と背板部８とを一体に成形してなる平面視略Ｌ字形をなす側背構造体３であるので、収納家具Ａの製造時に、互いに略直交する側板部７と背板部８とが一度に製造できる上、これらの取付の手間も省けるため、部品点数、加工工数等の低減化及び取付作業の軽減化等を図ることができる。
【００４０】
また、左右の側背構造体３が、平面視略Ｌ字状で起立する構成をなしている上、左右の側背構造体３の背板部８同士を突き合わせて収納家具Ａの側面及び背面を囲う周壁１ｂを構成してなるので、強度的にも高強度の家具とすることができる。
【００４１】
側背構造体３が、アルミダイキャストにより成形してあるので、軽量で高強度である上、薄い壁厚で本物感のある仕上がりの収納家具Ａを提供することが可能となる。また、設計の自由度も高く、特にダイキャスト製品は精度を高くして加工部分を減らすことができるので、加工工数の大幅な削減が可能となる。
【００４２】
なお、本発明における構成は、以上説明したものに限定されないのは勿論である。
【００４３】
例えば、家具は、上述したような収納家具Ａに限られず、図１２に示すような収納家具Ｂであってもよい。この収納家具Ｂは、収納家具本体１０１と、前記収納家具本体１０１の前面開口部１０１ａに引出し可能に設けた引出し１０２とを具備している。そして、この収納家具Ｂも、図１３に示すように、左右の側背構造体１０３を突き合わせて接合することにより前記収納家具本体１０１の側面及び背面を囲う周壁１０１ｂを形成し、その上端部側に天板１０４を取り付けて前記収納家具本体１０１を構成している。この側背構造体１０３も、前述した収納家具Ａの側背構造体３と同様、左右対称形状をなしている左右一対のもので、側板部１０７と背板部１０８とを一体にアルミダイキャストにより成形してあり、これら両側背構造体１０３の背板部１０８同士を突き合わせて前記収納家具本体１０１の周壁１０１ｂを構成している。そして、前記収納家具Ａと同様に、前記側背構造体１０３を製造する際に、共通の型を使用して上端部１０９ａと下端部１０９ｂとにそれぞれ脚１０９１、１０９２を有する少なくとも２体の中間構造体１０９Ａ、１０９Ｂを成形し、図１４に示すように、一方の中間構造体１０９Ａの上端部１０９ａに存在する脚１０９１の基端部１０９１ａを残した状態で先端部１０９１ｂを切除して左右何れか一方の側背構造体１０３を得るとともに、他方の中間構造体１０９Bの下端部１０９ｂに存在する脚１０９２の基端部１０９２ａを残した状態で先端部１０９２ｂを切除して上下反転させることによって他方の側背構造体１０３を得るようにし、型数や製造工程を減少を図っている。さらに、この変形例の場合にも、前記一方の中間構造体１０９Ａの下端部１０９ｂに存在する脚１０９２及び他方の中間構造体１０９Ｂの上端部１０９ａに存在する脚１０９１を、側背構造体１０３の脚１０７６として利用するとともに、前記一方の中間構造体１０９Ａの上端部１０９ａに存在する脚１０９１及び他方の中間構造体１０９Ｂの下端部１０９ｂに存在する脚１０９２の基端部１０９１ａ、１０９２ａ側を前記天板１０４を取り付ける際の天板支持部１０７７として利用している。
【００４４】
また、本発明の製造方法は、収納家具にも限定されず、左右対称をなす脚付き構造体を備えた家具全般に適用されるものである。さらに、構造体は、上述した実施の形態のような平面視略Ｌ字形のものに限定されず、平面視Ｉ字形の側板などであってもよい。
【００４５】
さらにまた、本実施の形態では、切除した中間構造体の脚の基端部側を天板支持部として利用しているが、脚を全部切除するようにしたり、そのまま残して他の用途に利用するようにしてもよい。また、家具は、アルミダイキャスト製に限定されず、樹脂製であってもよい。その他の構成も本発明の趣旨を逸脱しない範囲で種々変形が可能である。
【００４６】
【発明の効果】
本発明は、以上説明したような構成で実施され以下に記載されるような効果を奏する。
【００４７】
すなわち、本発明は、共通の型を使用して上端部と下端部とにそれぞれ脚を有する中間構造体を少なくとも２体成形し、一方の中間構造体の上端部に存在する脚の一部又は全部を切除して第１の構造体を得るとともに、他方の中間構造体の下端部に存在する脚の一部又は全部を切除して上下反転させることによって第２の構造体を得、これら第１、第２の構造体を組み合わせて家具を作るようにしているので、共通の型で家具を構成する第１、第２の構造体を構成することができ、型数や製造工程を減少させ、ひいてはコストダウンを図ることが可能となる。
【図面の簡単な説明】
【図１】本発明の一実施の形態における全体斜視図。
【図２】同分解斜視図。
【図３】同正面図。
【図４】同右側面図。
【図５】同背面図。
【図６】同図３におけるＩ−Ｉ線断面図。
【図７】同図４におけるII−II線断面図。
【図８】同側背構造体の製造工程を説明するための図。
【図９】同製造工程を説明するための図。
【図１０】同製造工程を説明するための模式図。
【図１１】同組立手順を説明するための平面図。
【図１２】同本実施の形態における一変形例を示す斜視図。
【図１３】同天板を想像線で示す平面図。
【図１４】同製造工程を説明するための模式図。
【符号の説明】
１ｂ、１０１ｂ…周壁
３、１０３…第１、第２の構造体（側背構造体）
４、１０４…天板
７、１０７…側板部
７４…貫通孔（開口）
７６、１０７６…脚
７７、１０７７…天板支持部
８、１０８…背板部
９、９Ａ、９Ｂ、１０９Ａ、１０９Ｂ…中間構造体
９ａ、１０９ａ…上端部
９ｂ、１０９ｂ…下端部
９１、９２、１０９１、１０９２…脚
Ａ、Ｂ…家具（収納家具）
Ｃ…型
【図１】
0003908011.tif 000002
【図２】
0003908011.tif 000003
【図３】
0003908011.tif 000004
【図４】
0003908011.tif 000005
【図５】
0003908011.tif 000006
【図６】
0003908011.tif 000007
【図７】
0003908011.tif 000008
【図８】
0003908011.tif 000009
【図９】
0003908011.tif 000010
【図１０】
0003908011.tif 000011
【図１１】
0003908011.tif 000012
【図１２】
0003908011.tif 000013
【図１３】
0003908011.tif 000014
【図１４】
0003908011.tif 000015